(57)【要約】【課題】  抽出機の抽出部直下にポットをセットするだけで、電源の接続・分離が可能となる飲料抽出機と保温ポットとの電源接続装置を提供する。【解決手段】飲料抽出機の抽出部の下側にポット側面案内壁が位置し、その下端に台座が設けられ、該台座の上に保温ポットが載置されるようになったものである。凸条または凹条を呈したポットガイドが、前記台座の上面に設けられ、平面視における中心線が直線、かつ、前記ポット側面案内壁に交差し、ポット側面案内壁側で矩形部、反ポット側面案内壁側で三角形部からなる。電源接続端子が前記ポット側面案内壁を貫通して設けられる。前記台座の上に保温ポットが載置され、その底面には、台座のポットガイドに嵌合する凸条または凹条が設けられている。保温ポットに電源接続端子が設けられる。【選択図】        図２
2005185581.tif 000002
【特許請求の範囲】
【請求項１】
飲料抽出機の抽出部の下側にポット側面案内壁が位置し、その下端に台座が設けられ、該台座の上に保温ポットが載置されるようになったものにおいて、
凸条または凹条を呈したポットガイドが、前記台座の上面に設けられ、平面視における中心線が直線、かつ、前記ポット側面案内壁に交差し、ポット側面案内壁側で矩形部、反ポット側面案内壁側で三角形部からなり、電源接続端子が前記ポット側面案内壁を貫通して設けられ、接続側がポット側面案内壁の表面に臨み、装置外壁が前記ポット側面案内壁の裏面を空間を存して囲み、該空間内にコードが収容され、前記コードに接続された外部電源接続端子が装置外壁を貫通して外部に導出されたことを特徴とする飲料抽出機の電源接続装置。
【請求項２】
飲料抽出機の保温ポットが載置される台座に設けられた凸条または凹条を呈したガイドに嵌合するように、凸条または凹条を呈したポットガイドが底面に設けられ、矩形部と三角形部からなり、飲料抽出機のポット側面案内壁を貫通して設けられた電源接続端子に接続されるように、電源接続端子がポットの外壁を貫通して外部に臨むことを特徴とする保温ポットの電源接続装置。
【発明の詳細な説明】
【技術分野】
【０００１】
本発明は、飲料抽出機と保温ポットの電源接続装置に関するものである。
【背景技術】
【０００２】
従来の飲料抽出機と保温ポットとが組み合わせて使用されるものでは、飲料抽出機用の電源接続コードと端子と、保温ポット用のそれらとが別々に必要であった。
【発明の開示】
【発明が解決しようとする課題】
【０００３】
従って、保温ポット用の電源接続コードと端子とがポットに接続された状態では、コードが使用者の邪魔になっていた。また、使用者の動作状態によってはコードに引っ掛かり、コードが外れてしまう恐れがあった。しかも、このタイプのものでは、抽出した飲料を一旦ポットに収容し保温しておく。そして飲むに際し、使用者がポットを抽出機から外して飲料容器が置いてあるテーブルなどに持ち運び、そこでポットから容器へ注ぎ出すのである。従って、飲むに際して、いちいち電源接続端子を使用者が自ら着脱しなければならなかった。
【０００４】
本発明は上記課題を解決し、抽出機の抽出部直下にポットをセットするだけで、電源の接続・分離が可能となる飲料抽出機と保温ポットとの電源接続装置を提供することを目的とする。
【課題を解決するための手段】
【０００５】
本発明の装置の第１は、飲料抽出機の抽出部の下側にポット側面案内壁が位置し、その下端に台座が設けられ、該台座の上に保温ポットが載置されるようになったものにおいて、凸条または凹条を呈したポットガイドが、前記台座の上面に設けられ、平面視における中心線が直線、かつ、前記ポット側面案内壁に交差し、ポット側面案内壁側で矩形部、反ポット側面案内壁側で三角形部からなり、電源接続端子が前記ポット側面案内壁を貫通して設けられ、接続側がポット側面案内壁の表面に臨み、装置外壁が前記ポット側面案内壁の裏面を空間を存して囲み、該空間内にコードが収容され、前記コードに接続された外部電源接続端子が装置外壁を貫通して外部に導出されたことを特徴とする。
【０００６】
本発明の装置の第２は、飲料抽出機の保温ポットが載置される台座に設けられた凸条または凹条を呈したガイドに嵌合するように、凸条または凹条を呈したポットガイドが保温ポットの底面に設けられ、矩形部と三角形部からなり、飲料抽出機のポット側面案内壁を貫通して設けられた電源接続端子に接続されるように、電源接続端子がポットの外壁を貫通して外部に臨むことを特徴とする。
【発明の効果】
【０００７】
抽出機の抽出部直下にポットをセットするだけで、電源の接続・分離が可能となった。
【発明を実施するための最良の形態】
【０００８】
以下に本発明の実施態様を図面に示す一実施例に基づき説明する。図１，２，３において、飲料抽出機Ａの抽出部３は被抽出物を入れたチャンバー（図示省略）を持つ（隣接する操作部、給水部などは省略）。ポット側面案内壁Ａ４は抽出部３の下側に位置し、台座Ａ５はポット側面案内壁の下端に設けられ、保温ポットＢを載置する。
【０００９】
さて、ポットガイド１は凸条を呈し、台座Ａ５の上面に設けられ、平面視における中心線Ｃが直線、かつ、ポット側面案内壁Ａ４に交差する。この凸条は側面案内壁Ａ４側で矩形部１ａと、反ポット側面案内壁側において三角形部１ｂからなる。
【００１０】
電源接続端子２は雌形磁石からなり、ポット側面案内壁Ａ４を貫通して設けられ、接続側がポット側面案内壁Ａ４の表面に臨む。装置外壁３は、ポット側面案内壁Ａ４の裏面を空間を存して囲む。この空間には、端子２に接続されたコード４が、制御部に設けられたポット電源ＯＮ−ＯＦＦスイッチ４ａを介して、コードリール５に巻かれれて収容され、その他端に外部電源接続端子６が接続される。外部電源接続端子６は、装置外壁３を貫通して外部に導出されている。
【００１１】
保温ポットＢの底面には、凹条を呈したポットガイド１１が設けられ、前記台座のポットガイド凸条１に嵌合するような、矩形部１１ａと、三角形部１１ｂとからなる。電源接続端子１２は雄形磁石からなり、ポットの外壁を貫通して外部に臨む。飲料抽出機Ａの電源接続端子２に接続される。
【００１２】
以上において、使用状態を説明する。先ず、保温ポットＢの後部を台座５の前部に載置する。次に各々ポットガイド１，１１を合わさせて、ポットＢをポット側面案内壁Ａ４の方向に押し進めると、各ガイドの三角形部１ｂ，１１ｂの存在によって互いに中心線が合致させられ、さらに押し進めるに従って、両ガイドの矩形部１ａ，１１ａが合致して、位置決めが完了する。このとき、双方の電源接続端子２，１２が合致して磁力で吸着し、電源接続状態がＯＮとなる。
【００１３】
前記台座Ａ５および保温ポットＢの底面にあるポットガイド１，１１は、いずれか一方が凸条、他方が凹条であればよい。
【００１４】
本発明は前記した実施例や実施態様に限定されず、特許請求の範囲および範囲を逸脱せずに種々の変形を含む。
【産業上の利用可能性】
【００１５】
本発明は、飲料抽出機と保温ポットの電源接続装置に利用されるものである。
【図面の簡単な説明】
【００１６】
【図１】本発明の一実施例の正面図である。
【図２】図１のＸ２−Ｘ２断面図である。
【図３】図１のＹ３−Ｙ３断面図である。
【符号の説明】
【００１７】
Ａ  飲料抽出機
Ａ３  抽出部
Ａ４  ポット側面案内壁
Ａ５  台座
Ｂ  保温ポット
１  ポットガイド（凸条）
１ａ  矩形部
１ｂ  三角形部
２  電源接続端子
３  装置外壁
４  コード
４ａ  ポットＯＮ−ＯＦＦスイッチ
５  コードリール
６  外部電源接続端子
１１  ポットガイド（凹条）
１１ａ  矩形部
１１ｂ  三角形部
１２  電源接続端子
【図１】
2005185581.tif 000003
【図２】
2005185581.tif 000004
【図３】
2005185581.tif 000005